(57)【要約】【課題】利便性及び操作性の向上が図られた商品の商品情報を表示する商品情報表示装置及びプログラムを提供することである。【解決手段】表示部と、商品ＩＤが付された商品であって商品棚３に載置されている商品４の重量を検出する重量検出部と、各商品の商品ＩＤを検出するＲＦＩＤ読取部と、重量検出部により検出された総重量及びＲＦＩＤ読取部により検出された商品ＩＤに基づいて、商品棚３に載置された商品を特定し、特定された商品に対応する商品情報を表示部に表示させるＣＰＵ１１と、を備える商品情報表示装置Ａ。【選択図】図１
2007021007.tif 000002
【特許請求の範囲】
【請求項１】
表示手段と、
商品識別情報が付された商品であって商品棚に載置されている前記商品の重量を検出する重量検出手段と、
前記各商品の商品識別情報を検出する商品識別情報検出手段と、
前記重量検出手段により検出された前記重量及び前記商品識別情報検出手段により検出された前記商品識別情報に基づいて、前記商品棚に載置された商品を特定し、特定された商品に対応する商品情報を前記表示手段に表示させる制御手段と、
を備えること、
を特徴とする商品情報表示装置。
【請求項２】
前記各商品に対応する前記商品情報を記憶する記憶手段を備えること、
を特徴とする請求項１記載の商品情報表示装置。
【請求項３】
前記制御手段は、
前記重量検出手段により検出された重量の変化が生じた場合、前記商品識別情報検出手段により検出された商品識別情報及び前記重量検出手段により検出された重量に基づいて、前記表示手段に表示されている商品情報を変更させること、
を特徴とする請求項１又は２記載の商品情報表示装置。
【請求項４】
前記制御手段は、
前記重量検出手段により検出された重量が０である場合、前記重量検出手段に対応する前記商品棚には商品が載置されていないと判定すること、
を特徴とする請求項１から３のいずれか一項に記載の商品情報表示装置。
【請求項５】
前記制御手段は、
同一の前記商品識別情報が複数の商品棚に対応する商品情報検出手段により検出された場合、当該商品識別情報の検出数が最も多い商品情報検出手段に対応する商品棚を当該商品識別情報が付された商品が載置された商品棚と判定すること、
を特徴とする請求項１から４のいずれか一項に記載の商品情報表示装置。
【請求項６】
前記制御手段は、
同一の前記商品識別情報が複数の商品棚に対応する商品情報検出手段により検出され、且つ、当該商品識別情報の検出数が同一の商品情報検出手段に対応する商品棚が複数存在し、当該商品棚の数が奇数の場合、
当該商品棚の配列に基づいて当該商品識別情報が付された商品が載置された商品棚を判定すること、
を特徴とする請求項５記載の商品情報表示装置。
【請求項７】
前記制御手段は、
同一の前記商品識別情報が複数の商品棚に対応する商品情報検出手段により検出され、且つ、当該商品識別情報の検出数が同一の商品情報検出手段に対応する商品棚が複数存在し、当該商品棚の数が偶数の場合、
当該商品識別情報に対応する商品の単位重量及び当該各商品棚に対応する商品情報検出手段が検出した当該商品識別情報の検出数に基づいて当該各商品棚の想定重量を算出し、
当該商品棚に対応する前記重量検出手段から検出された重量と算出された当該想定重量とが一致する商品棚を、当該商品識別情報が付された商品が載置された商品棚と判定すること、
を特徴とする請求項５又は６記載の商品情報表示装置。
【請求項８】
前記制御手段は、
前記各商品棚に対応する前記重量検出手段により検出された重量と、前記判定された前記商品識別情報に対応する商品の単位重量及び当該商品識別情報の検出数に基づいて算出した想定重量とが一致する場合、当該商品識別情報に対応する商品が載置されたと特定すること、
を特徴とする請求項６又は７記載の商品情報表示装置。
【請求項９】
前記制御手段は、
前記各商品棚に載置された商品が特定できなかった場合、前記表示手段に商品判定不能の旨を示す情報を表示させること、
を特徴とする請求項１から８のいずれか一項に記載の商品情報表示装置。
【請求項１０】
コンピュータを、
商品識別情報が付された商品であって商品棚に載置されている前記商品の重量を検出する重量検出手段と、
前記各商品の商品識別情報を検出する商品識別情報検出手段と、
前記重量検出手段により検出された前記重量及び前記商品識別情報検出手段により検出された前記商品識別情報に基づいて、前記商品棚に載置された商品を特定し、特定された商品に対応する商品情報を表示手段に表示させる制御手段と、
として機能させるためのプログラム。
【発明の詳細な説明】
【技術分野】
【０００１】
本発明は、商品棚に陳列された商品に対する商品情報を表示する商品情報表示装置及びプログラムに関する。
【背景技術】
【０００２】
近年、商品の商品名や販売価格等の商品情報を印刷や手書きなどによって示した値札を、ＬＣＤなどに表示させる電子値札（ＥＰＬ；Event Programming Language）や電子棚札（ＥＳＬ；Electronic Shelf Label）と称される表示装置に表示させる商品情報表示装置が開発されている。このような商品情報表示装置は、表示装置に表示させる表示内容を無線や赤外線通信等を介して販売時点管理システム（ＰＯＳシステム；Point Of Sales system）等と連動して、価格変更や特価情報、税額変更等の、人力に頼っていた棚札変更作業をリアルタイムで自動更新することができる。
【０００３】
例えば、商品情報メッセージを特定の商品に関連する電子値札に表示する場合、商品情報メッセージに対応する商品情報インジケータを読出し、電子値札追加データファイルから対応する商品情報メッセージを読み出すことにより制御メッセージを生成し、生成された制御メッセージを電子値札に送信して商品情報のメッセージを電子値札のディスプレイに表示させる表示装置が開示されている。
【特許文献１】特開平１０−２３２６１３号公報
【発明の開示】
【発明が解決しようとする課題】
【０００４】
しかしながら、このような商品情報表示装置では、表示装置に表示されている商品とは異なった商品が商品棚に混在して陳列された場合であっても、混在していることを表示装置によって認識することができない。また表示装置と陳列された商品とは１対１の関係であるため、表示装置に対応する商品が売り切れてしまった場合や陳列順序を変更する場合等には、その都度、ユーザによって商品情報の変更作業が発生し、使い勝手のよいものではなかった。
【０００５】
本発明の課題は、利便性及び操作性の向上が図られた商品の商品情報を表示する商品情報表示装置及びプログラムを提供することである。
【課題を解決するための手段】
【０００６】
請求項１に記載の発明は、表示手段と、商品識別情報が付された商品であって商品棚に載置されている前記商品の重量を検出する重量検出手段と、前記各商品の商品識別情報を検出する商品識別情報検出手段と、前記重量検出手段により検出された前記重量及び前記商品識別情報検出手段により検出された前記商品識別情報に基づいて、前記商品棚に載置された商品を特定し、特定された商品に対応する商品情報を前記表示手段に表示させる制御手段と、を備える商品情報表示装置であること、を特徴としている。
更に、コンピュータに対して、上述した請求項１に記載の発明に示した主要手段を機能させるためのプログラムを提供する（請求項１０に記載の発明）。
【０００７】
請求項２に記載の発明は、請求項１記載の商品情報表示装置において、前記各商品に対応する前記商品情報を記憶する記憶手段を備えること、を特徴としている。
【０００８】
請求項３に記載の発明は、請求項１又は２記載の商品情報表示装において、前記制御手段は、前記重量検出手段により検出された重量の変化が生じた場合、前記商品識別情報検出手段により検出された商品識別情報及び前記重量検出手段により検出された重量に基づいて、前記表示手段に表示されている商品情報を変更させること、を特徴としている。
【０００９】
請求項４に記載の発明は、請求項１から３のいずれか一項に記載の商品情報表示装置において、前記制御手段は、前記重量検出手段により検出された重量が０である場合、前記重量検出手段に対応する前記商品棚には商品が載置されていないと判定すること、を特徴としている。
【００１０】
請求項５に記載の発明は、請求項１から４のいずれか一項に記載の商品情報表示装置において、前記制御手段は、同一の前記商品識別情報が複数の商品棚に対応する商品情報検出手段により検出された場合、当該商品識別情報の検出数が最も多い商品情報検出手段に対応する商品棚を当該商品識別情報が付された商品が載置された商品棚と判定すること、を特徴としている。
【００１１】
請求項６に記載の発明は、請求項５記載の商品情報表示装置において、前記制御手段は、同一の前記商品識別情報が複数の商品棚に対応する商品情報検出手段により検出され、且つ、当該商品識別情報の検出数が同一の商品情報検出手段に対応する商品棚が複数存在し、当該商品棚の数が奇数の場合、当該商品棚の配列に基づいて当該商品識別情報が付された商品が載置された商品棚を判定すること、を特徴としている。
【００１２】
請求項７に記載の発明は、請求項５又は６記載の商品情報表示装置において、前記制御手段は、同一の前記商品識別情報が複数の商品棚に対応する商品情報検出手段により検出され、且つ、当該商品識別情報の検出数が同一の商品情報検出手段に対応する商品棚が複数存在し、当該商品棚の数が偶数の場合、当該商品識別情報に対応する商品の単位重量及び当該各商品棚に対応する商品情報検出手段が検出した当該商品識別情報の検出数に基づいて当該各商品棚の想定重量を算出し、当該商品棚に対応する前記重量検出手段から検出された重量と算出された当該想定重量とが一致する商品棚を、当該商品識別情報が付された商品が載置された商品棚と判定すること、を特徴としている。
【００１３】
請求項８に記載の発明は、請求項６又は７記載の商品情報表示装置において、前記制御手段は、前記各商品棚に対応する前記重量検出手段により検出された重量と、前記判定された前記商品識別情報に対応する商品の単位重量及び当該商品識別情報の検出数に基づいて算出した想定重量とが一致する場合、当該商品識別情報に対応する商品が載置されたと特定すること、を特徴としている。
【００１４】
請求項９に記載の発明は、請求項１から８のいずれか一項に記載の商品情報表示装置において、前記制御手段は、前記各商品棚に載置された商品が特定できなかった場合、前記表示手段に商品判定不能の旨を示す情報を表示させること、を特徴としている。
【発明の効果】
【００１５】
請求項１又は１０に記載の発明によれば、人為的な操作なしに、商品に対応する商品情報が表示されるため、利便性及び操作性の向上が図られた商品の情報を表示する商品情報表示装置又はプログラムを提供することができる。
【００１６】
請求項２に記載の発明によれば、請求項１と同様の効果を得られるのは勿論のこと、特定された商品に対応する商品情報を記憶手段に記憶されている各商品に対応する商品情報を参照して表示させることができ、制御負荷を低減させることができる。
【００１７】
請求項３に記載の発明によれば、請求項１又は２と同様の効果を得られるのは勿論のこと、前記商品棚に載置された商品の重量の変化が生じた場合、即ち、商品棚から商品が持ち出された場合や陳列順序の変更等する場合において、人為的な操作なしに表示手段に表示される商品情報が変更されるため、ユーザによる商品情報の変更の手間を省くことができ、作業効率及び利便性を向上させることができると共に、常時、商品識別情報を検出する必要が無くなるので、制御動作に拘わる消費電力や制御負荷を低減させることができる。
【００１８】
請求項４に記載の発明によれば、請求項１から３のいずれか一項と同様の効果を得られるのは勿論のこと、重量検出手段により検出された重量が０である場合、例えば、商品が売り切れてしまった場合、商品棚を視認して空き棚を確認する手間を省くことができるため、作業効率及び利便性を向上させることができる。
【００１９】
請求項５、６、７に記載の発明によれば、請求項１から４のいずれか一項と同様の効果を得られるのは勿論のこと、各商品情報検出手段が複数の商品棚に載置された商品識別情報を検出しても、容易に商品識別情報が付された商品が載置された商品棚を判定することができる。
【００２０】
請求項８に記載の発明によれば、請求項６又は７と同様の効果を得られるのは勿論のこと、前記各商品棚に載置された商品の特定結果の信頼性を向上させることができる。
【００２１】
請求項９に記載の発明によれば、請求項１から８のいずれか一項と同様の効果を得られるのは勿論のこと、ユーザに対して商品判定不能であることを報知することができるため、商品が混在している等の何らかの異常が生じている旨の警告を促すことができる。
【発明を実施するための最良の形態】
【００２２】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００２３】
本実施の形態では、本発明の商品情報表示装置をスーパーマーケットやデパートのような店舗において適用した場合について説明する。
【００２４】
以下、図を参照して本発明の実施の形態を詳細に説明する。
まず、構成を説明する。
図１に、本実施の形態における商品情報表示装置Ａの概略構成図を示す。
【００２５】
図１に示すように、商品情報表示装置Ａは、管理装置１と、商品４を複数載置可能な商品棚３に対応付けられた電子値札装置２とが、ネットワークＮを介して通信可能に接続されることにより構成されている。
【００２６】
管理装置１は、複数の電子値札装置２を統括的に管理しており、電子値札装置２に対応する商品棚３に陳列された商品４の商品情報を送信し表示させる。
【００２７】
電子値札装置２は、対応する商品棚３に陳列された商品４の価格や商品名等の管理装置１から受信した商品情報を表示する。
【００２８】
商品４は、各商品を識別する商品識別情報としての商品ＩＤを記憶しているＲＦＩＤ（Radio Frequency Identification）タグが付されている。商品４に付されるＲＦＩＤタグとしては、商品ＩＤを記憶したメモリを有するＩＣチップとアンテナコイルとを備え、アンチ・コリジョン機能に対応したＲＦＩＤタグであることが好ましく、更に、ＲＦＩＤタグの小型化・薄型化、及び省コスト化が図れる電磁誘導式の無電池型のＲＦＩＤタグが好ましい。
【００２９】
ネットワークＮは、例えば、赤外線又は無線通信回線を用いた無線ネットワーク、公衆回線、電話回線、ＩＳＤＮ回線、専用線、ＣＡＴＶ回線等の有線ネットワーク、又はこれらの組合せであってもよい。ネットワークＮは、情報管理の信頼性の観点から、特定のユーザのみアクセス可能なセキュリティ機能を確保していることが望ましい。
【００３０】
図２に、管理装置１の機能的構成を模式的に示すブロック図を示す。
図２に示すように、管理装置１は、ＣＰＵ（Central Processing Unit）１１、ＨＤＤ（Hard Disk Drive）１２、ＲＡＭ（Random Access Memory）１３、表示部１４、入力部１５及び通信Ｉ／Ｆ１６を備え、各部は電気的に接続されている。
【００３１】
ＣＰＵ１１は、ＲＡＭ１３の所定領域を作業領域としてＨＤＤ１２に記憶されている各種制御プログラムやデータに基づいて各種処理を実行し、上記各部に制御信号を送って管理装置１及び商品情報表示装置Ａの動作全般を統括制御する。
【００３２】
また、ＣＰＵ１１は、電子値札装置２から受信した各商品の商品ＩＤ及び商品棚に載置された商品の重量（総重量）に基づいて、商品ＩＤ及び総重量を送信してきた電子値札装置２に対応する商品棚に載置された商品を特定し、特定された商品に対応する商品情報の表示指示及び変更指示を電子値札装置２に行う制御手段としての機能を実現する。
【００３３】
ＨＤＤ１２は、ＣＰＵ１１が読み出して実行する各種プログラム、具体的には、後述する処理を実行するプログラム及び必要な各種データと、商品情報ＤＢ１２１及び登録棚情報テーブル１２２を記憶するデータベース１２ａ、各商品棚を識別するための各商品棚に対応した棚番号とを記憶する記憶手段としての機能を実現している。なお、ＨＤＤ１２は、例えば電気的に消去及び書き換えが可能な不揮発性メモリであればよく、ＥＥＰＲＯＭ（Electrically Erasable and Programmable ROM）やフラッシュメモリなどであってもよい。
【００３４】
図３に、商品情報ＤＢ１２１の一例を示す。
図３に示すように、商品情報ＤＢ１２１は、各商品を識別する商品識別情報としての商品ＩＤに対応して、商品の単位重量、商品名、単位価格、商品説明等の商品情報を示すフィールドを有するレコードが、各商品ＩＤ毎に予め登録されている。なお、商品情報ＤＢ１２１のフィールドは、さらに各商品ＩＤ毎に商品の外観画像や分類などを有する構成であってよい。
【００３５】
図４に、登録棚情報テーブル１２２の一例を示す。
図４に示すように、登録棚情報テーブル１２２は、商品棚毎に現在の商品棚の状態を示す情報が登録されており、各商品棚を識別するために予め設定された棚番号に対して、当該棚番号に対応する商品棚に陳列されて載置された商品の重量（総重量）を示す登録総重量、載置された商品の商品ＩＤを示す登録商品ＩＤ、載置された商品の個数（認識数）を示す登録認識数、エラー情報等の各商品棚の状態を示す棚情報が登録されている。
【００３６】
なお、本実施の形態におけるエラー情報としては、エラー無しを「０」、空き棚を「１」、商品判定不能を「２」として表示しているが、これに限らない。
【００３７】
ＲＡＭ１３は、ＣＰＵ１１により実行される各種制御プログラムをプログラム格納エリアに展開する。また、ＲＡＭ１３は、入力部１５又は通信Ｉ／Ｆを介して入力されるデータ及び制御処理プログラムの実行時に生じる処理結果のデータ、当該データ及びプログラムに基づいて生成される検出棚情報テーブル１３１、商品比較テーブル１３２等をワークエリアに一時的に格納する。なお、ＲＡＭ１３としては、例えばＳＤＲＡＭ（Synchronous Dynamic Random Access Memory）などで構成される揮発性メモリなどであってもよい。
【００３８】
図５に、検出棚情報テーブル１３１の一例を示す。
図５に示すように、検出棚情報テーブル１３１は、商品棚毎に対応した電子値札装置２から受信したデータに基づいて生成されるテーブルであり、各商品棚を識別するために予め設定された棚番号に対して、商品棚に対応した電子値札装置２によって検出された商品の重量（総重量）を示す検出総重量、当該電子値札装置２によって検出された商品に付されたＲＦＩＤタグが示すデータ（商品ＩＤ）に基づくデータ（検出ＲＦＩＤデータ）から成る。
【００３９】
検出ＲＦＩＤデータは、検出された商品ＩＤ（検出商品ＩＤ）と、同一の検出商品ＩＤを有する商品の個数（検出認識数）とを含むデータであり、電子値札装置２は、隣接した商品棚に載置された商品の商品ＩＤも読み取ることができるため、検出棚情報テーブル１３１には、一つの棚番号に対して検出商品ＩＤと検出認識数との組が複数存在することとなる。
【００４０】
図６に、商品比較テーブル１３２に一例を示す。
図６に示すように、商品比較テーブル１３２は、後述する処理が実行される際において生成されるテーブルであり、各検出商品ＩＤに対応する棚番号を判別する際に用いられる。商品比較テーブル１３２は、検出棚情報テーブル１３１の各棚番号毎に記憶されている検出商品ＩＤ、検出認識数、棚番号が読み出され、読み出された順番に検出商品ＩＤに整理番号が付され、各整理番号（即ち、検出商品ＩＤ）に対して検出認識数、棚番号、エラー情報が順次記憶される。
【００４１】
表示部１４は、例えば、ＬＣＤ（Liquid Crystal Display）やＥＬ（Electro Luminescence）ディスプレイ等によって構成され、ＣＰＵ１１から入力される表示指示に従って各種情報の画面表示を行うと共に、各商品棚の商品情報を表示する表示手段としての機能を実現する。
【００４２】
入力部１５は、カーソルキー、数字入力キー及び各種機能キー等を備えたキーボード、ポインティングデバイスであるマウス等を備え、キーボードで押下されたキーの押下信号をＣＰＵ１１に出力するとともに、マウスによる操作信号をＣＰＵ１１に出力する。
【００４３】
通信Ｉ／Ｆ１６は、電子値札装置２と通信可能に接続するためのインターフェースであり、管理装置１と電子値札装置２との間でデータの転送速度の調整や、データ形式の変換を行い、両者のデータのやり取りを仲介する。
【００４４】
図７に、電子値札装置２の機能的構成を模式的に示すブロック図を示す。
図７に示すように、電子値札装置２は、ＣＰＵ２１、ＲＯＭ（Read Only Memory）２２、ＲＡＭ２３、表示部２４、重量検出部２５、ＲＦＩＤ読取部２６及び通信Ｉ／Ｆ２７を備え、各部は電気的に接続されている。
【００４５】
ＣＰＵ２１は、ＲＡＭ２３の所定領域を作業領域としてＲＯＭ２２に記憶されている各種制御プログラムやデータに基づいて各種処理を実行し、上記各部に制御信号を送って電子値札装置２の動作全般を統括制御する。
【００４６】
ＣＰＵ２１は、本実施の形態を実現させるために、管理装置１から検出動作指示を受信した場合、又は、重量検出部２５を駆動させて対応する商品棚に載置されている商品の重量（総重量）を検出させて重量検出部２５から検出された総重量に変化が生じた際、ＲＦＩＤ読取部２６を駆動させて各商品に付されているＲＦＩＤタグから商品ＩＤを読み取らせて、検出された総重量（検出総重量）及び読み取られた複数の商品ＩＤ（検出商品ＩＤ）を通信Ｉ／Ｆ２７を介して管理装置１に送信させる。また、ＣＰＵ２１は、管理装置１から受信した商品情報及びエラー情報を表示部２４に表示させる。
【００４７】
ＲＯＭ２２は、ＣＰＵ２１が読み出して実行する各種プログラム、具体的には、後述する処理を実行するプログラム及び必要な各種データを格納している。なお、ＲＯＭ２２は、不揮発性メモリであればよく、これに限らない。
【００４８】
ＲＡＭ２３は、ＣＰＵ２１により実行される各種制御プログラムをプログラム格納エリアに展開する。また、ＲＡＭ２３は、重量検出部２５、ＲＦＩＤ読取部２６又は通信Ｉ／Ｆを介して入力される各種データ及び制御処理プログラムの実行時に生じる処理結果のデータ等をワークエリアに一時的に格納する。なお、ＲＡＭ２３としては、電気的に書き替え可能な揮発性メモリであれはよく、これに限らない。
【００４９】
表示部２４は、例えば、ＬＣＤ（Liquid Crystal Display）やＥＬ（Electro Luminescence）ディスプレイ等の表示画面を備え、ＣＰＵ２１から入力される表示指示に従って各種情報、即ち、対応する商品棚の価格や商品名等の商品情報を表示画面上に表示させる表示手段としての機能を実現する。
【００５０】
図８に、表示部２４の表示画面に表示される画面例を示す。
図８に示すように、表示画面Ｇには、「高級シャンプー」と表示された商品名Ｇ１、「１５８０円」と表示された価格Ｇ２、「５００ｍｌ」と表示された商品説明Ｇ３が表示されることとなる。
【００５１】
重量検出部２５は、商品棚上の重量、即ち商品棚に載置された商品の重量（総重量）を検出しＣＰＵ２１に出力する重量検出手段としての機能を実現する。重量検出部２５としては、はかりセンサ（電子天秤）等を用いることができ、省コスト化を図る上では電気抵抗線式（ロードセル式）の電子天秤を採用することが好ましく、又、高精度化が求められる場合には電磁力平衡式の電子天秤を採用することが好ましく、本発明を適用する店舗及び商品棚に載置される商品によって、適宜使い分けられることが好ましい。
【００５２】
ＲＦＩＤ読取部２６は、電磁誘導方式等を用いて商品に付されたＲＦＩＤタグに給電し、商品に付されたＲＦＩＤタグから商品ＩＤを読み取りＣＰＵ２１に出力する商品識別情報検出手段としての機能を実現し、複数のＲＦＩＤタグから同時に各商品ＩＤを読み取り可能なアンチ・コリジョン機能を有する。また、ＲＦＩＤ読取部２６の伝送範囲は、商品棚に載置される商品に付されているＲＦＩＤタグを全て読み取り可能な範囲は勿論のこと、隣接する商品棚に載置される商品に付されているＲＦＩＤタグを読み取り可能な範囲、且つ、２つ隣の商品棚に載置される商品に付されているＲＦＩＤタグは読取不可な範囲である。
【００５３】
通信Ｉ／Ｆ２７は、管理装置１と通信可能に接続するためのインターフェースであり、管理装置１と電子値札装置２との間でデータの転送速度の調整や、データ形式の変換を行い、両者のデータのやり取りを仲介する。
【００５４】
次に、本実施の形態の動作を説明する。
まず、図９〜１５を参照して、本実施の形態において、開店前や商品の陳列順序を変更した場合などの商品陳列初期時に実行される処理を説明する。
【００５５】
図９に、本実施の形態において、開店前や棚卸の場合などの全ての商品棚に対して新たに商品を陳列する商品陳列初期時における商品棚の状態を検出する処理（商品棚状態検出処理）のフローチャートを示す。
【００５６】
管理装置１は、状態を検出する商品棚の棚番号（参照棚番号ｎ）を初期化（ｎ＝１に設定）する（ステップＳ１）。そして、参照棚番号ｎと等しい番号の棚番号に対応する電子値札装置に対して、検出動作指示を送信する（ステップＳ２）。
【００５７】
電子値札装置２は、検出動作指示を受信したか否かを判別し（ステップＳ３）、検出動作指示を受信していないと判別した場合（ステップＳ３；Ｎｏ）、検出動作指示を受信するまで待機する。
【００５８】
電子値札装置２は、検出動作指示を受信したと判別した場合（ステップＳ３；Ｙｅｓ）、重量検出部を駆動させて総重量を検出すると共に（ステップＳ４）、ＲＦＩＤ読取部を駆動させて各商品に付されたＲＦＩＤから商品ＩＤを検出する（ステップ５）。
【００５９】
そして、電子値札装置２は、検出した総重量（検出総重量）及び複数の商品ＩＤ（複数の検出商品ＩＤ）を管理装置１に送信する（ステップＳ６）。
【００６０】
管理装置１は、検出動作信号を送信した後（ステップＳ２後）、検出動作信号を送信した電子値札装置から検出総重量及び複数の検出商品ＩＤを受信したか否かを判別し（ステップＳ７）、受信していないと判別した場合（ステップＳ７；Ｎｏ）、受信するまで待機する。
【００６１】
管理装置１は、検出動作信号を送信した電子値札装置から検出総重量及び複数の検出商品ＩＤを受信したと判別した場合（ステップＳ７；Ｙｅｓ）、検出総重量及び複数の検出商品ＩＤに基づいて、棚番号ｎの商品棚に対応した検出総重量及び検出ＲＦＩＤデータをＲＡＭ２３に記憶し、検出棚情報テーブルを生成する（ステップＳ８）。
【００６２】
管理装置１は、参照棚番号ｎが最終番目の棚番号であるか否かを判別し（ステップＳ９）、最終番目の棚番号でないと判別した場合（ステップＳ９；Ｎｏ）、参照棚番号ｎに１を加算し（ステップＳ１０）、ステップＳ２に戻る。
【００６３】
管理装置１は、参照棚番号ｎが最終番目の棚番号であると判別した場合（ステップＳ９；Ｙｅｓ）、本処理は終了される。
【００６４】
図１０〜１３に、本実施の形態において、前述した商品棚状態検出処理後に管理装置１において実行される各商品棚に載置された商品を判別する処理（商品判別処理）のフローチャートを示す。当該処理は、管理装置１が備えるＣＰＵ１１とＨＤＤ１２に記憶されたプログラム及び各種データ及びＲＡＭ１３等の各部との協働によるソフトウェア処理により実現される。
【００６５】
参照棚番号ｎが初期化（ｎ＝１に設定）され（ステップＳ１１）、前述した商品棚状態検出処理において生成された検出棚情報テーブルが参照されて参照棚番号ｎと等しい番号の棚番号の検出総重量が読み出される（ステップＳ１２）。
【００６６】
読み出された検出総重量は０であるか否かが判別される（ステップＳ１３）。読み出された検出総重量は０であると判別された場合（ステップＳ１３；Ｙｅｓ）、ＨＤＤ１２の登録棚情報テーブル１２２の棚番号がｎの登録総重量及び登録認識数に、登録総重量は０であり登録認識数は０である旨が書き込まれる（ステップＳ１４）。
【００６７】
読み出された検出総重量が０でないと判別された場合（ステップＳ１３；Ｎｏ）、ＨＤＤ１２の登録棚情報テーブル１２２の棚番号がｎの登録総重量に、読み出された検出総重量が書き込まれる（ステップＳ１５）。
【００６８】
登録総重量にデータ（０又は検出総重量）が書き込まれた後（ステップＳ１４又はステップＳ１５後）、参照棚番号ｎは、最終番目の棚番号であるか否かが判別され（ステップＳ１６）、最終番目の棚番号でないと判別された場合（ステップＳ１６；Ｎｏ）、参照棚番号ｎに１が加算され（ステップＳ１７）、ステップＳ１２に戻る。
【００６９】
このように、ステップＳ１１〜ステップＳ１７において、検出総重量が０であるか否かが判別されて検出総重量が０と判別された場合、検出総重量が０の棚番号に対応する商品棚には商品が載置されていない（「空き棚」）であると判定することができるため、例えば、商品が売り切れてしまった場合、商品棚を視認して空き棚を確認する手間を省くことができ、作業効率及び利便性を向上させることができる。
【００７０】
参照棚番号ｎは最終番目の棚番号であると判別された場合（ステップＳ１６；Ｙｅｓ）、参照棚番号ｎが初期化（ｎ＝１に設定）され（ステップＳ１８）、商品比較テーブル内に記憶されていた整理番号、検出商品ＩＤ、検出認識数、棚番号が全て消去され、商品比較テーブルが初期化される（ステップＳ１９）。
【００７１】
前述した商品棚状態検出処理において生成された検出棚情報テーブルが参照され、参照棚番号ｎと等しい番号の棚番号の検出総重量、各検出商品ＩＤ、各検出商品ＩＤの検出認識数が読み出される（ステップＳ２０）。
【００７２】
読み出された複数の検出商品ＩＤのうち１つの検出商品ＩＤが選択され（ステップＳ２１）、選択された検出商品ＩＤ（選択商品ＩＤ）が商品比較テーブルに既に記憶されているか否かが判別される（ステップＳ２２）。
【００７３】
選択商品ＩＤが商品比較テーブルに既に記憶されていると判別された場合（ステップＳ２２；Ｙｅｓ）、選択商品ＩＤの検出認識数は、商品比較テーブルに記憶されている検出商品ＩＤの検出認識数よりも多いか否かが判別される（ステップＳ２３）。
【００７４】
選択商品ＩＤの検出認識数は、商品比較テーブルに記憶されている検出商品ＩＤの検出認識数よりも多いと判別された場合（ステップＳ２３；Ｙｅｓ）、又は、選択商品ＩＤが商品比較テーブルに記憶されていないと判別された場合（ステップＳ２２；Ｎｏ）、選択商品ＩＤの検出商品ＩＤ、検出認識数、棚番号が商品比較テーブルに記憶される（ステップＳ２４）。
【００７５】
選択商品ＩＤの検出認識数は、商品比較テーブルに記憶されている検出商品ＩＤの検出認識数以下であると判別された場合（ステップＳ２３；Ｎｏ）、選択商品ＩＤの検出認識数は商品比較テーブルに記憶されている検出商品ＩＤの検出認識数と等しいか否かが判別される（ステップＳ２５）。
【００７６】
選択商品ＩＤの検出認識数は、商品比較テーブルに記憶されている検出商品ＩＤの検出認識数と等しいと判別された場合（ステップＳ２５；Ｙｅｓ）、商品比較テーブルに記憶されている検出商品ＩＤの棚番号は不明であるエラー情報が商品比較テーブルに記憶される（ステップＳ２６）。
【００７７】
選択商品ＩＤの検出認識数は、商品比較テーブルに記憶されている検出商品ＩＤの検出認識数と等しくない、即ち、選択商品ＩＤの検出認識数は商品比較テーブルに記憶されている検出商品ＩＤの検出認識数よりも少ないと判別された場合（ステップＳ２５；Ｎｏ）、選択商品ＩＤ及び選択商品ＩＤの検出認識数が破棄され、商品比較テーブルに記憶されている検出商品ＩＤの検出認識数の更新は実行されずステップＳ２７に進む。
【００７８】
ステップＳ２４、ステップＳ２５；Ｎｏ又はステップＳ２６後、ステップＳ２０において読み出された検出商品ＩＤのうち、未選択の検出商品ＩＤが無しか否か判別され（ステップＳ２７）、未選択の検出商品ＩＤが有ると判別された場合（ステップＳ２７；Ｎｏ）、ステップＳ２１に戻る。
【００７９】
読み出された検出商品ＩＤのうち、未選択の検出商品ＩＤが無しと判別された場合（ステップＳ２７；Ｙｅｓ）、参照棚番号ｎは、最終番目の棚番号であるか否かが判別され（ステップＳ２８）、最終番目の棚番号でないと判別された場合（ステップＳ２８；Ｎｏ）、参照棚番号ｎに１が加算され（ステップＳ２９）、ステップＳ１９に戻る。
【００８０】
このように、ステップＳ１８〜２９において、同一の検出商品ＩＤが複数の商品棚において検出された場合であっても、検出商品ＩＤの検出認識数が最も多い商品棚を当該検出商品ＩＤが付された商品が載置された商品棚と判定することができるため、各ＲＦＩＤ読取部が複数の商品棚に載置された商品ＩＤを検出しても、容易に商品ＩＤが付された商品が載置された商品棚を判定することができる。
【００８１】
図１４に、図５に示す検出棚情報テーブルが参照されながらステップＳ１８〜２９が実行されることにより生成される商品比較テーブル１３２の例を示す。商品比較テーブル１３２の整理番号５に対応する検出商品ＩＤは、検出棚情報テーブル１３１において同一の検出認識数が検出された商品棚が存在しているため、棚番号は不明である旨のエラー情報が記憶されている。
【００８２】
参照棚番号ｎは最終番目の棚番号であると判別された場合（ステップＳ２８；Ｙｅｓ）、商品比較テーブルにおいて参照する整理番号（参照整理番号ｍ）が初期化（ｍ＝１に設定）される（ステップＳ３０）。
【００８３】
生成された商品比較テーブルが参照されて参照整理番号ｍと等しい番号の整理番号の検出商品ＩＤの棚番号は不明であるか否かが判別される（ステップＳ３１）。
【００８４】
整理番号がｍの検出商品ＩＤの棚番号は不明であると判別された場合（ステップＳ３１；Ｙｅｓ）、検出棚情報テーブルを参照して当該整理番号に対応する検出商品ＩＤが検出された商品棚の検出と、検出された各商品棚における検出認識数及び検出総重量が読み出される（ステップＳ３２）。
【００８５】
検出された商品棚の数は偶数か否かが判別され（ステップＳ３３）、偶数でないと判別された場合（ステップＳ３３；Ｎｏ）、商品棚の配列に基づいて検出された商品棚のうち中央の位置に配置された商品棚に対応する棚番号が整理番号がｍの検出商品ＩＤの棚番号として記憶される（ステップＳ３４）。
【００８６】
検出された商品棚の数は偶数であると判別された場合（ステップＳ３３；Ｙｅｓ）、商品情報ＤＢが参照され、整理番号がｍの検出商品ＩＤの単位重量が読み出される（ステップＳ３５）。
【００８７】
ステップＳ３２において検出された商品棚のうち１つの商品棚が選択され（ステップＳ３６）、選択された商品棚における検出認識数とステップＳ３５において読み出された単位重量とに基づいて、選択された商品棚の想定総重量が算出される（ステップＳ３７）。
【００８８】
算出された想定総重量は、選択された商品棚の検出総重量と等しいか否かが判別され（ステップＳ３８）、算出された想定総重量は選択された商品棚の検出総重量と等しいと判別された場合（ステップＳ３８；Ｙｅｓ）、整理番号がｍの検出商品ＩＤの棚番号は選択された商品棚の棚番号が記憶される（ステップＳ３９）。
【００８９】
算出された想定総重量は選択された商品棚の検出総重量と等しくないと判別された場合（ステップＳ３８；Ｎｏ）、ステップＳ３２において検出された商品棚のうち、未選択の商品棚が無しか否か判別され（ステップＳ４０）、未選択の商品棚が有ると判別された場合（ステップＳ４０；Ｎｏ）、ステップＳ３６に戻る。
【００９０】
ステップＳ３２において検出された商品棚のうち、未選択の商品棚が無しと判別された場合（ステップＳ４０；Ｙｅｓ）、整理番号がｍの検出商品ＩＤの棚番号の判定は不能である旨がエラー情報として記憶される（ステップＳ４１）。
【００９１】
ステップＳ３１、ステップＳ３４、ステップＳ３９又はステップＳ４１後、参照整理番号ｍは、最終番目の整理番号であるか否かが判別され（ステップＳ４２）、最終番目の整理番号でないと判別された場合（ステップＳ４２；Ｎｏ）、参照整理番号ｍに１が加算され（ステップＳ４３）、ステップＳ３１に戻る。
【００９２】
このように、ステップＳ３０〜４３において、商品比較テーブルを用いて各検出商品ＩＤが付された商品が載置された商品棚が不明であった場合、即ち、同一の検出商品ＩＤが複数の商品棚に対して検出され、且つ、当該検出商品ＩＤの検出数（検出認識数）が同一の商品棚が複数存在した場合、当該商品棚の数が奇数の場合には、当該商品棚の配列に基づいて当該検出商品ＩＤが付された商品が載置された商品棚を判定し、当該商品棚の数が偶数の場合には、当該検出商品ＩＤに対応する商品の単位重量及び当該各商品棚に対応する当該商品検出ＩＤの検出認識数に基づいて当該各商品棚の想定総重量を算出し、当該商品棚に対応する検出総重量と算出された当該想定総重量とが一致する商品棚を、当該検出商品ＩＤが付された商品が載置された商品棚と判定することができるため、各ＲＦＩＤ読取部が複数の商品棚に載置された商品ＩＤを検出しても、容易に商品ＩＤが付された商品が載置された商品棚を判定することができる。
【００９３】
参照整理番号ｍは最終番目の整理番号であると判別された場合（ステップＳ４２；Ｙｅｓ）、登録棚情報テーブルが参照され、登録総重量が０でない棚番号に対する登録商品ＩＤ、登録認識数、エラー情報が初期化（消去）され（ステップＳ４４）、また、商品比較テーブルにおいて参照する整理番号（参照整理番号ｍ）が初期化（ｍ＝１に設定）される（ステップＳ４５）。
【００９４】
商品比較テーブルが参照されて参照整理番号ｍと等しい番号の整理番号の検出商品ＩＤの棚番号は判定不能でないか否かが判別される（ステップＳ４６）。
【００９５】
整理番号がｍの検出商品ＩＤの棚番号は判定不能ではないと判別された場合（ステップＳ４６；Ｙｅｓ）、商品情報ＤＢが参照されて、当該整理番号に対応する検出商品ＩＤの単位重量が読み出される（ステップＳ４７）。
【００９６】
整理番号がｍの検出商品ＩＤの検出認識数と、ステップＳ３７において読み出された単位重量と、に基づいて、整理番号がｍの検出商品ＩＤの想定総重量が算出される（ステップＳ４８）。
【００９７】
算出された想定総重量と、整理番号がｍの検出商品ＩＤの棚番号に対応する検出棚情報テーブルの棚番号の検出総重量と、が比較され（ステップＳ４９）、算出された想定総重量と検出総重量とが等しいか否かが判別される（ステップＳ５０）。
【００９８】
算出された想定総重量は、検出総重量と等しいと判別された場合（ステップＳ５０；Ｙｅｓ）、整理番号がｍの検出商品ＩＤ及び検出認識数が、整理番号がｍの検出商品ＩＤの棚番号に対応する登録棚情報テーブルの棚番号の登録商品ＩＤ及び登録認識数として登録される（ステップＳ５１）。
【００９９】
ステップＳ４６；Ｎｏ又はステップＳ５０；Ｎｏ後、参照整理番号ｍは、最終番目の整理番号であるか否かが判別され（ステップＳ５２）、最終番目の整理番号でないと判別された場合（ステップＳ５２；Ｎｏ）、参照整理番号ｍに１が加算され（ステップＳ５３）、ステップＳ４６に戻る。
【０１００】
参照整理番号ｍは最終番目の整理番号であると判別された場合（ステップＳ５２；Ｙｅｓ）、登録棚情報テーブルにおいて、登録認識数が登録されなかった棚番号に「空き棚」を示すエラー情報が書き込まれ（ステップＳ５４）、商品判別処理は終了される。
【０１０１】
このように、ステップＳ４４〜５４において、商品比較テーブル、商品情報ＤＢ及び検出棚情報テーブルを用いて、商品比較テーブルにおいて商品棚（棚番号）が仮決定された各商品の総重量（想定総重量）と、商品比較テーブルにおいて各商品の仮決定された商品棚（棚番号）に対応する検出情報テーブルの棚番号の総重量（検出総重量）とが一致する場合、商品比較テーブルにおいて各商品の仮決定された商品棚（棚番号）を検出商品ＩＤに対応する商品が載置されたと特定することができ、各商品棚に載置された商品の特定結果の信頼性を向上させることができる。
【０１０２】
図１５に、本実施の形態において、前述した商品判別処理終了後に管理装置１において実行される棚情報表示処理のフローチャートを示す。当該処理は、管理装置１が備えるＣＰＵ１１とＨＤＤ１２に記憶されたプログラム及び各種データ及びＲＡＭ１３等の各部との協働によるソフトウェア処理により実現される。
【０１０３】
まず、参照棚番号ｎが初期化（ｎ＝１に設定）され（ステップＳ６１）、前述した商品棚状態検出処理において登録された登録棚情報テーブルが参照され、参照棚番号ｎと等しい番号の棚番号の棚情報（登録総重量、登録商品ＩＤ、登録認識数、エラー情報）が読み出される（ステップＳ６２）。
【０１０４】
読み出された棚情報に基づいて、登録認識数は０でないか否かが判別され（ステップＳ６３）、登録認識数は０でないと判別された場合（ステップＳ６３；Ｙｅｓ）、エラー情報は無しか否かが判別される（ステップＳ６４）。
【０１０５】
エラー情報は無しと判別された場合（ステップＳ６４；Ｙｅｓ）、商品情報ＤＢが参照され、読み出された登録商品ＩＤに対応する商品ＩＤの商品情報（単位重量、商品名、価格、商品説明等）が読み出され（ステップＳ６５）、読み出された商品情報は、参照棚番号ｎと等しい番号の棚番号に対応する電子値札装置に送信される（ステップＳ６６）と共に、読み出された商品情報は、表示部２４の表示画面上に表示される（ステップＳ６７）。
【０１０６】
登録認識数が０であると判別された場合（ステップＳ６３；Ｎｏ）又はエラー情報有りと判別された場合（ステップＳ６４；Ｎｏ）、エラー情報が参照棚番号ｎと等しい番号の棚番号に対応する電子値札装置に送信される（ステップＳ６８）と共に、エラー情報は、表示部２４の表示画面上に表示される（ステップＳ６９）。
【０１０７】
ステップＳ６７又はステップＳ６９後、参照棚番号ｎは、最終番目の棚番号であるか否かが判別され（ステップＳ７０）、最終番目の棚番号でないと判別された場合（ステップＳ７０；Ｎｏ）、参照棚番号ｎに１が加算され（ステップＳ７１）、ステップＳ６２に戻る。
【０１０８】
参照棚番号ｎは最終番目の棚番号であると判別された場合（ステップＳ７０；Ｙｅｓ）、本処理は終了される。
【０１０９】
次に、図１６〜１８を参照して、本実施の形態において、販売時などの場合に商品棚に陳列された商品が顧客又は／及び店員によって移動される際に実行される処理を説明する。
【０１１０】
図１６に、本実施の形態において、各電子値札装置２において実行される検出処理のフローチャートを示す。当該処理は、電子値札装置２が備えるＣＰＵ２１とＲＯＭ２２に記憶されたプログラム及び各種データ及びＲＡＭ２３等の各部との協働によるソフトウェア処理により実現され、所定間隔で繰り返し実行される。
【０１１１】
まず、重量検出部が駆動されて総重量が検出され（ステップＳ８１）、重量検出部２５によって検出された総重量（検出総重量）は、管理装置１から受信した登録総重量と等しいか否かの判別、即ち、検出総重量の変化の有無が判別される（ステップＳ８２）。
【０１１２】
検出総重量は、登録総重量と等しいと判別された場合、即ち、検出総重量の変化無しと判別された場合（ステップＳ８２；Ｎｏ）、ステップＳ８１に戻る。
【０１１３】
検出総重量は、登録総重量と等しくないと判別された場合、即ち、検出総重量の変化有りと判別された場合（ステップＳ８２；Ｙｅｓ）、ＲＦＩＤ読取部が駆動されて各商品に付されたＲＦＩＤから商品ＩＤが検出される（ステップ８３）。
【０１１４】
検出された総重量（検出総重量）及び複数の商品ＩＤ（複数の検出商品ＩＤ）は、本処理を実行している電子値札装置自身に対応する棚番号が付加されて管理装置１に送信され（ステップＳ８４）、本処理は終了される。
【０１１５】
図１７及び１８に、本実施の形態において、図１６に示した電子値札装置１によって実行される検出処理に対応して、管理装置１において実行される各商品棚に載置された商品を判別する処理（商品判別処理）のフローチャートを示す。当該処理は、管理装置１が備えるＣＰＵ１１とＨＤＤ１２に記憶されたプログラム及び各種データ及びＲＡＭ１３等の各部との協働によるソフトウェア処理により実現される。
【０１１６】
まず、電子値札装置から棚番号と共に検出総重量及び検出商品ＩＤが受信されたか否かが判別され（ステップＳ９１）、受信されていないと判別された場合（ステップＳ９１；Ｎｏ）、ステップＳ９１に戻る。
【０１１７】
電子値札装置から棚番号と共に検出総重量及び検出商品ＩＤが受信されたと判別された場合（ステップＳ９１；Ｙｅｓ）、登録棚情報テーブルが参照されて、受信した棚番号に対応する登録総重量及び登録認識数が読み出される（ステップＳ９２）。
【０１１８】
読み出された登録認識数は０でないか否かが判別され（ステップＳ９３）、登録認識数は０でないと判別された場合（ステップＳ９３；Ｙｅｓ）、登録総重量ＷＡは、検出総重量ＷＢよりも軽いか否かが判別される（ステップＳ９４）。
【０１１９】
登録総重量ＷＡは、検出総重量ＷＢよりも軽いと判別された場合（ステップＳ９４；Ｙｅｓ）、商品が載置されたと判定され（ステップＳ９５）、登録棚情報テーブルが参照されて、受信した棚番号に対応する登録商品ＩＤが読み出される（ステップＳ９６）。
【０１２０】
読み出された登録商品ＩＤに対応する単位重量が商品情報ＤＢから読み出され（ステップＳ９７）、第１差分認識数Ｎ１が算出される（ステップＳ９８）。
【０１２１】
ステップＳ９８における第１差分認識数Ｎ１は、検出総重量ＷＢ、登録総重量ＷＡ、読み出された単位重量Ｗ０に基づいて、下記の（式１）を用いて算出することができる。
【０１２２】
Ｎ１＝（ＷＢ−ＷＡ）／Ｗ０                          ・・・・（式１）
【０１２３】
算出された第１差分認識数Ｎ１は、自然数であるか否かが判別され（ステップＳ９９）、第１差分認識数Ｎ１が自然数であると判別された場合（ステップＳ９９；Ｙｅｓ）、登録認識数に算出された第１差分認識数Ｎ１が加算されて、受信した棚番号に対応する商品棚に載置されている商品の個数（積載想定認識数）が算出される（ステップＳ１００）。
【０１２４】
一方、登録総重量ＷＡは、検出総重量ＷＢ以上と判別された場合（ステップＳ９４；Ｎｏ）、商品が持ち出されたと判定され（ステップＳ１０１）、登録棚情報テーブルが参照されて、受信した棚番号に対応する登録商品ＩＤが読み出される（ステップＳ１０２）。
【０１２５】
読み出された登録商品ＩＤに対応する単位重量が商品情報ＤＢから読み出され（ステップＳ１０３）、第２差分認識数Ｎ２が算出される（ステップＳ１０４）。
【０１２６】
ステップＳ１０４における第２差分認識数Ｎ２は、検出総重量ＷＢ、登録総重量ＷＡ、読み出された単位重量Ｗ０に基づいて、下記の（式２）を用いて算出することができる。
【０１２７】
Ｎ２＝（ＷＡ−ＷＢ）／Ｗ０                          ・・・・（式２）
【０１２８】
第２差分認識数Ｎ２が算出されると、登録認識数から算出された第２差分認識数Ｎ２が減算されて、受信した棚番号に対応する商品棚に載置されている商品の個数（積載想定認識数）が算出され（ステップＳ１０５）、積載想定認識数は０であるか否かが判別される（ステップＳ１０６）。
【０１２９】
積載想定認識数が０であると判別された場合（ステップＳ１０６；Ｙｅｓ）、受信した棚番号は「空き棚で」ある旨を示すエラー情報が記憶される（ステップＳ１０７）。
【０１３０】
ステップＳ１００、ステップＳ１０６；Ｎｏ、ステップＳ１０７後、登録棚情報テーブルの棚情報が更新される。即ち、受信した棚番号に対応する登録棚情報テーブルの登録総重量が受信した検出総重量に、登録認識数が算出された積載想定認識数に、エラー情報が記憶されたエラー情報（例えば「空き棚」）に書き替えられる（ステップＳ１０８）。
【０１３１】
更新された登録棚情報テーブルが参照されて、受信した棚番号に対応するエラー情報は「空き棚」を示しているか否かが判別され（ステップＳ１０９）、「空き棚」を示していないと判別された場合には（ステップＳ１０９；Ｎｏ）、本処理は終了される。
【０１３２】
受信した棚番号に対応するエラー情報は「空き棚」を示していると判別された場合（ステップＳ１０９；Ｙｅｓ）、「空き棚」である旨を示すエラー情報が受信した棚番号に対応する電子値札装置に送信される（ステップＳ１１０）と共に、エラー情報は、表示部２４の表示画面上に表示され（ステップＳ１１１）、本処理は終了される。
【０１３３】
一方、登録認識数は０であると判別された場合（ステップＳ９３；Ｎｏ）、受信した棚番号に対応する商品棚は、当該商品棚に対応する電子値札装置２が管理装置１に棚番号・検出総重量・検出商品ＩＤを送信する前は「空き棚」であり、「空き棚」であった当該商品棚は、新たに商品が陳列された商品初期陳列と判定される（ステップＳ１１２）。
【０１３４】
商品情報ＤＢが参照され、受信した各検出商品ＩＤに対応する単位重量がそれぞれ読み出される（ステップＳ１１３）。
【０１３５】
受信した検出商品ＩＤ毎に、受信した各検出商品ＩＤの検出認識数とステップＳ１１２において読み出された単位重量とに基づいて、受信した各検出商品ＩＤの想定総重量が算出される（ステップＳ１１４）。
【０１３６】
受信した検出商品ＩＤ毎に、算出された想定総重量と受信した検出総重量とが比較され（ステップＳ１１５）、算出された想定総重量と受信した検出総重量が一致する受信した検出商品ＩＤが有るか否かが判別される（ステップＳ１１６）。
【０１３７】
算出された想定総重量と受信した検出総重量が一致する受信した検出商品ＩＤが有りと判別された場合（ステップＳ１１６；Ｙｅｓ）、商品棚の配列に基づいて、受信した棚番号に対応する商品棚に隣接する商品棚の棚番号の登録商品ＩＤは、算出された想定総重量と受信した検出総重量が一致する受信した検出商品ＩＤと同一ではないか否かが判別される（ステップＳ１１７）。
【０１３８】
商品棚の配列に基づいて、受信した棚番号に対応する商品棚に隣接する商品棚の棚番号の登録商品ＩＤは、算出された想定総重量と受信した検出総重量が一致する受信した検出商品ＩＤと同一ではないと判別された場合（ステップＳ１１７；Ｙｅｓ）、算出された想定総重量と受信した検出総重量が一致する受信した検出商品ＩＤ、当該検出商品ＩＤの検出認識数、検出総重量が、受信した棚番号に対応する登録商品ＩＤ、登録認識数、登録総重量として登録棚情報テーブルに登録される（ステップＳ１１８）。
【０１３９】
商品情報ＤＢが参照され、受信した棚番号に対応する登録商品ＩＤの商品情報（単位重量、商品名、価格、商品説明等）が読み出され（ステップＳ１１９）、読み出された商品情報は、受信した棚番号に対応する電子値札装置に送信される（ステップＳ１２０）と共に、読み出された商品情報は、表示部２４の表示画面上に表示され（ステップＳ１２１）、本処理が終了される。
【０１４０】
算出された第１差分認識数Ｎ１は、自然数でないと判別された場合（ステップＳ９９；Ｎｏ）、算出された想定総重量と受信した検出総重量が一致する受信した検出商品ＩＤが無しと判別された場合（ステップＳ１１６；Ｎｏ）、又は、商品棚の配列に基づいて受信した棚番号に対応する商品棚に隣接する商品棚の棚番号の登録商品ＩＤは、算出された想定総重量と受信した検出総重量が一致する受信した検出商品ＩＤと同一であると判別された場合（ステップＳ１１７；Ｎｏ）、受信した棚番号に対応する商品棚に載置された商品の判定は不能であると判定され（ステップＳ１２２）、受信した棚番号に対応するエラー情報として「商品判定不能」の旨を示す情報が登録棚情報テーブルに記憶される（ステップＳ１２３）。
【０１４１】
そして、「商品判定不能」の旨を示すエラー情報は受信した棚番号に対応する電子値札装置に送信される（ステップＳ１２４）と共に、表示部２４の表示画面上に表示され（ステップＳ１２５）、本処理は終了される。
【０１４２】
このように、ステップＳ９１〜１２５において、商品棚に載置された商品の重量（総重量）の変化が生じた場合、即ち、商品棚から商品が持ち出された場合や陳列順序の変更等する場合において、人為的な操作なしに表示部に表示される商品情報が変更されるため、常時、検出商品ＩＤを検出する必要が無くなるので、制御動作に拘わる消費電力や制御負荷を低減させることができる。
【０１４３】
以上のように、本実施の形態によれば、人為的な操作なしに、商品に対応する商品情報が表示されるため、利便性及び操作性の向上が図られた商品の情報を表示する商品情報表示装置及びプログラムを提供することができる。また、各商品棚に載置された商品が特定できなかった場合、電子値札装置２に商品判定不能の旨を示す情報を表示させることができるため、ユーザに対して商品判定不能であることを報知することができ、商品が混在している等の何らかの異常が生じている旨の警告を促すことができる。
【図面の簡単な説明】
【０１４４】
【図１】本実施の形態における商品情報表示装置Ａの概略構成図である。
【図２】管理装置１の機能的構成を模式的に示すブロック図である。
【図３】商品情報ＤＢ１２１の一例である。
【図４】登録棚情報テーブル１２２の一例である。
【図５】検出棚情報テーブル１３１の一例である。
【図６】商品比較テーブル１３２に一例である。
【図７】電子値札装置２の機能的構成を模式的に示すブロック図である。
【図８】表示部２４の表示画面に表示される画面例である。
【図９】本実施の形態において、商品陳列初期時における商品棚の状態を検出する処理のフローチャートである。
【図１０】本実施の形態において、商品棚状態検出処理後に管理装置１において実行される各商品棚に載置された商品を判別する処理のフローチャートである。
【図１１】本実施の形態において、商品棚状態検出処理後に管理装置１において実行される各商品棚に載置された商品を判別する処理のフローチャートである（図１０の続き）。
【図１２】本実施の形態において、商品棚状態検出処理後に管理装置１において実行される各商品棚に載置された商品を判別する処理のフローチャートである（図１１の続き）。
【図１３】本実施の形態において、商品棚状態検出処理後に管理装置１において実行される各商品棚に載置された商品を判別する処理のフローチャートである（図１２の続き）。
【図１４】図５に示す検出棚情報テーブルが参照されながらステップＳ１８〜２９が実行されることにより生成される商品比較テーブル１３２の例である。
【図１５】本実施の形態において、商品判別処理終了後に管理装置１において実行される棚情報表示処理のフローチャートである。
【図１６】本実施の形態において、販売時などの場合に商品棚に陳列された商品が顧客又は／及び店員によって移動される際に、各電子値札装置２において実行される検出処理のフローチャートである。
【図１７】本実施の形態において、図１６に示した電子値札装置１によって実行される検出処理に対応して、管理装置１において実行される各商品棚に載置された商品を判別する処理のフローチャートである。
【図１８】本実施の形態において、図１６に示した電子値札装置１によって実行される検出処理に対応して、管理装置１において実行される各商品棚に載置された商品を判別する処理のフローチャートである（図１７の続き）。
【符号の説明】
【０１４５】
１  管理装置
１１  ＣＰＵ
１２  ＨＤＤ
１２ａ  データベース
１２１  商品情報ＤＢ
１２２  登録棚情報テーブル
１３  ＲＡＭ
１３１  検出棚情報テーブル
１３２  商品比較テーブル
１４  表示部
１５  入力部
１６  通信Ｉ／Ｆ
２  電子値札装置
２１  ＣＰＵ
２２  ＲＯＭ
２３  ＲＡＭ
２４  表示部
２５  重量検出部
２６  ＲＦＩＤ読取部
２７  通信Ｉ／Ｆ
３  商品棚
４  商品
Ａ  商品情報表示装置
Ｇ  表示画面
Ｇ１  商品名
Ｇ２  価格
Ｇ３  商品説明
Ｎ  ネットワーク
【図１】
2007021007.tif 000003
【図２】
2007021007.tif 000004
【図３】
2007021007.tif 000005
【図４】
2007021007.tif 000006
【図５】
2007021007.tif 000007
【図６】
2007021007.tif 000008
【図７】
2007021007.tif 000009
【図８】
2007021007.tif 000010
【図９】
2007021007.tif 000011
【図１０】
2007021007.tif 000012
【図１１】
2007021007.tif 000013
【図１２】
2007021007.tif 000014
【図１３】
2007021007.tif 000015
【図１４】
2007021007.tif 000016
【図１５】
2007021007.tif 000017
【図１６】
2007021007.tif 000018
【図１７】
2007021007.tif 000019
【図１８】
2007021007.tif 000020